(57)【要約】【課題】シャーシを移動させる機構の部品点数および組立工数を削減することが可能なディスク装置を提供する。【解決手段】このディスク装置１００は、ディスクが載置されるディスクトレイ１と、ディスクを回転させるためのターンテーブル５が取り付けられ、ディスクトレイ１のディスクが載置される側とは反対側に配置される板金製のシャーシ２と、シャーシ２をディスクトレイ１側およびディスクトレイ１とは反対側に移動させるためのカム溝３１を含むカム部材３とを備える。シャーシ２は、カム溝３１に嵌まり込むようにシャーシ２からカム部材３側に突出する板金製の突出部２１を一体的に含み、カム部材３の移動に伴ってシャーシ２の突出部２１がカム溝３１に沿って移動されることにより、シャーシ２がディスクトレイ１側およびディスクトレイ１とは反対側に移動されるように構成されている。【選択図】図５
2014146398.tif 000002
【特許請求の範囲】
【請求項１】
ディスクが載置されるディスクトレイと、
前記ディスクを回転させるためのターンテーブルが取り付けられ、前記ディスクトレイの前記ディスクが載置される側とは反対側に配置される板金製のシャーシと、
前記シャーシを前記ディスクトレイ側および前記ディスクトレイとは反対側に移動させるためのカム溝を含むカム部材とを備え、
前記シャーシは、前記カム溝に嵌まり込むように前記シャーシから前記カム部材側に突出する板金製の突出部を一体的に含み、
前記カム部材の移動に伴って前記シャーシの前記突出部が前記カム溝に沿って移動されることにより、前記シャーシが前記ディスクトレイ側および前記ディスクトレイとは反対側に移動されるように構成されている、ディスク装置。
【請求項２】
前記シャーシが前記ディスクトレイ側に移動された際に、前記突出部が前記カム溝に係合することにより、前記シャーシが前記カム部材によって支持されるように構成されている、請求項１に記載のディスク装置。
【請求項３】
前記カム部材は、前記シャーシが前記ディスクトレイ側に移動された際に前記シャーシを前記ディスクトレイ側とは反対側から受ける受け部を一体的に含む、請求項１または２に記載のディスク装置。
【請求項４】
前記受け部と前記シャーシとは、前記シャーシが前記ディスクトレイ側に移動された際に所定の隙間を隔てて対向するように配置されている、請求項３に記載のディスク装置。
【請求項５】
前記ディスクトレイ、前記シャーシおよび前記カム部材を保持する保持部材をさらに備え、
前記シャーシは、矩形状の外周部を有し、
前記シャーシは、前記矩形状の外周部の１つの辺の両端部近傍において前記保持部材にネジ止めされており、
前記突出部は、前記シャーシの前記１つの辺と対向する辺の中央部近傍に配置されており、
前記シャーシが前記ディスクトレイ側に移動された際に、前記突出部が前記カム溝に係合することにより、前記シャーシの前記１つの辺と対向する辺の中央部近傍が前記カム部材によって支持されている、請求項２に記載のディスク装置。
【請求項６】
前記突出部は、板金製の前記シャーシの前記カム部材側の端部近傍の部分の一部が前記カム部材側に切り起こされることにより平板状に形成されている、請求項１〜５のいずれか１項に記載のディスク装置。
【請求項７】
前記カム部材は、前記シャーシの移動方向である第１方向と直交する第２方向に移動されるように構成されており、
前記カム溝は、前記第２方向に沿って延びる第１溝部と、前記第１溝部の端部から前記第１方向と前記第２方向とを合成した方向に傾斜して延びる第２溝部とを含み、
前記第２溝部の溝幅は、前記第１溝部の溝幅よりも大きくなるように形成されており、
平板状に形成された前記突出部が前記第１溝部および前記第２溝部に沿って移動されることにより、前記シャーシが前記ディスクトレイ側および前記ディスクトレイとは反対側に移動されるように構成されている、請求項６に記載のディスク装置。
【請求項８】
前記第２溝部は、前記ディスクトレイ側の部分の傾斜角度が前記ディスクトレイとは反対側の部分の傾斜角度よりも小さくなるように、傾斜角度が途中で変化するように構成されている、請求項７に記載のディスク装置。
【請求項９】
前記カム部材は、樹脂製である、請求項１〜８のいずれか１項に記載のディスク装置。
【発明の詳細な説明】
【技術分野】
【０００１】
この発明は、ディスク装置に関し、特に、ディスクを回転させるためのターンテーブルが取り付けられたシャーシを移動させるためのカム部材を備えたディスク装置に関する。
【背景技術】
【０００２】
従来、ディスクを回転させるためのターンテーブルが取り付けられたシャーシを移動させるためのカム部材を備えたディスク装置が知られている（たとえば、特許文献１参照）。
【０００３】
上記特許文献１には、ディスクを回転させるためのターンテーブルが取り付けられたトラバースメカ（シャーシ）と、トラバースメカを昇降移動させるための２つのカム溝を有するカムスライダー（カム部材）とを備えたディスク装置が開示されている。このディスク装置では、カムスライダーの２つのカム溝にそれぞれ嵌まり込む２つの円柱形状のボス（突出部）を有するシフトレバーがトラバースメカとは別個に設けられている。このシフトレバーは、トラバースメカのカムスライダー側の部分に２個のネジにより２点でネジ止めされて固定されている。
【先行技術文献】
【特許文献】
【０００４】
【特許文献１】特開２００６−３５１０７９号公報
【発明の概要】
【発明が解決しようとする課題】
【０００５】
しかしながら、上記特許文献１に開示されたディスク装置では、カム溝に嵌まり込む円柱形状のボス（突出部）を有するシフトレバーがトラバースメカ（シャーシ）に２個のネジにより固定されているため、トラバースメカ（シャーシ）を移動させる機構の部品点数および組立工数が増加する。このため、トラバースメカ（シャーシ）を移動させる機構の部品点数および組立工数の削減の要望がある。
【０００６】
この発明は、上記のような課題を解決するためになされたものであり、この発明の１つの目的は、シャーシを移動させる機構の部品点数および組立工数を削減することが可能なディスク装置を提供することである。
【課題を解決するための手段】
【０００７】
上記目的を達成するために、この発明の一の局面によるディスク装置は、ディスクが載置されるディスクトレイと、ディスクを回転させるためのターンテーブルが取り付けられ、ディスクトレイのディスクが載置される側とは反対側に配置される板金製のシャーシと、シャーシをディスクトレイ側およびディスクトレイとは反対側に移動させるためのカム溝を含むカム部材とを備え、シャーシは、カム溝に嵌まり込むようにシャーシからカム部材側に突出する板金製の突出部を一体的に含み、カム部材の移動に伴ってシャーシの突出部がカム溝に沿って移動されることにより、シャーシがディスクトレイ側およびディスクトレイとは反対側に移動されるように構成されている。
【０００８】
この発明の一の局面によるディスク装置では、上記のように、カム溝に嵌まり込むようにシャーシからカム部材側に突出する板金製の突出部を板金製のシャーシに一体的に設けることによって、カム溝に嵌まり込む突出部をシャーシとは別個の部材に設けて、その部材をシャーシに複数のネジによりネジ止めして固定する場合と異なり、シャーシを移動させる機構の部品点数および組立工数を削減することができる。
【０００９】
上記一の局面によるディスク装置において、好ましくは、シャーシがディスクトレイ側に移動された際に、突出部がカム溝に係合することにより、シャーシがカム部材によって支持されるように構成されている。このように構成すれば、シャーシの突出部が設けられた部分をカム部材によって安定して支持することができる。
【００１０】
上記一の局面によるディスク装置において、好ましくは、カム部材は、シャーシがディスクトレイ側に移動された際にシャーシをディスクトレイ側とは反対側から受ける受け部を一体的に含む。このように構成すれば、ディスク装置が落下してシャーシががたついた場合でも、受け部によってシャーシが受けられるので、落下の衝撃によりシャーシが破損するのを抑制することができる。
【００１１】
この場合、好ましくは、受け部とシャーシとは、シャーシがディスクトレイ側に移動された際に所定の隙間を隔てて対向するように配置されている。このように構成すれば、シャーシのディスクトレイ側への通常の移動動作時には、受け部とシャーシとが互いに接触しないので、シャーシの通常の移動動作に起因する破損を抑制することができる。
【００１２】
上記シャーシがカム部材によって支持されたディスク装置において、好ましくは、ディスクトレイ、シャーシおよびカム部材を保持する保持部材をさらに備え、シャーシは、矩形状の外周部を有し、シャーシは、矩形状の外周部の１つの辺の両端部近傍において保持部材にネジ止めされており、突出部は、シャーシの１つの辺と対向する辺の中央部近傍に配置されており、シャーシがディスクトレイ側に移動された際に、突出部がカム溝に係合することにより、シャーシの１つの辺と対向する辺の中央部近傍がカム部材によって支持されている。このように構成すれば、矩形状の外周部を有するシャーシが、１つの辺の両端部近傍の２点と、その１つの辺に対向する辺の中央部近傍の１点との３点で支持されるので、シャーシを安定して支持することができる。
【００１３】
上記一の局面によるディスク装置において、好ましくは、突出部は、板金製のシャーシのカム部材側の端部近傍の部分の一部がカム部材側に切り起こされることにより平板状に形成されている。このように構成すれば、板金の切り起こし加工によって、容易に、板金製のシャーシに板金製の突出部を一体的に設けることができる。また、突出部を平板状に形成することによって、突出部を円柱形状に形成する場合と異なり、突出部をカム溝に係合させてシャーシを支持する場合に、カム溝によるシャーシの支持面積を大きくすることができるので、より安定してシャーシを支持することができる。
【００１４】
この場合、好ましくは、カム部材は、シャーシの移動方向である第１方向と直交する第２方向に移動されるように構成されており、カム溝は、第２方向に沿って延びる第１溝部と、第１溝部の端部から第１方向と第２方向とを合成した方向に傾斜して延びる第２溝部とを含み、第２溝部の溝幅は、第１溝部の溝幅よりも大きくなるように形成されており、平板状に形成された突出部が第１溝部および第２溝部に沿って移動されることにより、シャーシがディスクトレイ側およびディスクトレイとは反対側に移動されるように構成されている。このように構成すれば、第２溝部の溝幅が第１溝部の溝幅よりも大きいので、平板状の突出部が第１溝部と第２溝部との間を移動する際に傾斜してシャーシががたつくのを抑制することができる。
【００１５】
上記カム溝が第１溝部と第２溝部とを含むディスク装置において、好ましくは、第２溝部は、ディスクトレイ側の部分の傾斜角度がディスクトレイとは反対側の部分の傾斜角度よりも小さくなるように、傾斜角度が途中で変化するように構成されている。このように構成すれば、第２溝部のディスクトレイ側の部分の傾斜角度がディスクトレイとは反対側の部分の傾斜角度よりも小さいので、突出部が第２溝部に沿ってディスクトレイとは反対側からディスクトレイ側に急激に移動するのを抑制することができる。これにより、突出部が第２溝部のディスクトレイとは反対側の内周面に衝突して破損するのを抑制することができるとともに、衝突音が発生するのを抑制することができる。
【００１６】
上記一の局面によるディスク装置において、好ましくは、カム部材は、樹脂製である。このように構成すれば、金属製のカム部材を用いる場合と異なり、カム部材とシャーシとが互いに接触して破損するのを抑制することができる。
【発明の効果】
【００１７】
本発明によれば、上記のように、シャーシを移動させる機構の部品点数および組立工数を削減することができる。
【図面の簡単な説明】
【００１８】
【図１】本発明の一実施形態によるディスク装置の全体構成を示した斜視図である。
【図２】図１に示したディスク装置からディスクトレイを取り外した状態を示した斜視図である。
【図３】図２のシャーシが下降した状態を示した斜視図である。
【図４】図２を上方から見た平面図である。
【図５】本発明の一実施形態によるディスク装置のシャーシの構成を示した斜視図である。
【図６】本発明の一実施形態によるディスク装置のカム部材の構成を示した斜視図である。
【図７】本発明の一実施形態によるディスク装置のシャーシとカム部材とが互いに取り付けられた状態を示した斜視図である。
【図８】本発明の一実施形態によるディスク装置のシャーシの突出部がカム部材のカム溝に係合しながら移動する状態を模式的に示した模式図である。
【発明を実施するための形態】
【００１９】
以下、本発明の実施形態を図面に基づいて説明する。
【００２０】
図１〜図８を参照して、本発明の一実施形態によるディスク装置１００の構成について説明する。
【００２１】
図１〜図４に示すように、ディスク装置１００は、樹脂製のディスクトレイ１と、板金製のシャーシ２と、樹脂製のカム部材３とを備える。また、ディスク装置１００は、ディスクトレイ１、シャーシ２およびカム部材３を保持する樹脂製の保持部材４を備える。
【００２２】
図１に示すように、ディスクトレイ１は、上面側（矢印Ｚ１方向側）の凹状に窪んだ部分１ａにＤＶＤやＢＤなどのディスク（図示せず）を載置可能に構成されている。また、ディスクトレイ１は、長手方向（Ｙ方向）にスライドしてディスク脱着位置（矢印Ｙ１方向側に最大限移動された場合の位置）およびディスク再生位置（図１の位置）に移動可能に構成されている。また、ディスクトレイ１のディスクが載置される側とは反対側である下面側（矢印Ｚ２方向側）には、板金製のシャーシ２（図２〜図４参照）が配置されている。
【００２３】
図２〜図４に示すように、シャーシ２の中央部には、ディスクトレイ１に載置されたディスク（図示せず）の中央部に設けられた穴部（図示せず）に嵌り込んでディスクを回転させるためのターンテーブル５が取り付けられている。また、シャーシ２には、ディスクに光を照射してディスクに記録されたデータを読み取るための光ピックアップ６が取り付けられている。光ピックアップ６は、シャーシ２の長手方向（Ｙ方向）に沿って延びる２本のガイドレール７に沿って移動可能に構成されている。なお、シャーシ２には、光ピックアップ６をガイドレール７に沿って移動させるためのモータ８が取り付けられている。
【００２４】
ここで、本実施形態では、図５に示すように、シャーシ２の保持部材４にネジ止めされる側の辺（矢印Ｙ２方向側の短辺）と対向する辺（矢印Ｙ１方向側の短辺）の中央部近傍には、カム部材３の後述するカム溝３１（図６参照）に嵌まり込むようにシャーシ２からカム部材３側（矢印Ｙ１方向側）に突出する板金製の突出部２１が一体的に設けられている。この突出部２１は、板金製のシャーシ２のカム部材３側の端部近傍の部分の一部（矢印Ｙ１方向側の短辺の中央部近傍の部分）がカム部材３側に切り起こされることにより平板状に形成されている。
【００２５】
また、本実施形態では、図４に示すように、シャーシ２は、平面的に見て（矢印Ｚ１方向側から見て）略矩形形状の外周部を有する。また、シャーシ２は、カム部材３とは反対側の１つの辺（矢印Ｙ２方向側の短辺）の両端部近傍において、ネジ部材９を介して保持部材４に固定（ネジ止め）されている。これにより、図２および図３に示すように、シャーシ２は、保持部材４にネジ止めされた側の部分（矢印Ｙ２方向側の短辺側の部分）を支点としてディスクトレイ１側（矢印Ｚ１方向側：図１参照）およびディスクトレイ１とは反対側（矢印Ｚ２方向側：図１参照）に移動（回動）するように構成されている。
【００２６】
具体的には、まず、ディスクトレイ１（図１参照）のスライド移動に伴って、カム部材３が、ディスクトレイ１の移動方向（Ｙ方向）と直交する方向（Ｘ方向）にスライド移動するように構成されている。そして、カム部材３の移動に伴って、シャーシ２の突出部２１がカム部材３の後述するカム溝３１（図６参照）の内周面に沿って上下方向（Ｚ方向）に移動（摺動）することにより、シャーシ２の保持部材４にネジ止めされていない側の部分（突出部２１が設けられた矢印Ｙ１方向側の短辺側の部分）が上下方向に移動するように構成されている。これにより、シャーシ２の保持部材４にネジ止めされていない側の部分は、カム部材３の移動に伴って、カム部材３の移動方向（Ｘ方向：本発明の「第２方向」の一例である）と直交する方向（Ｚ方向：本発明の「第１方向」の一例である）に移動するように構成されている。
【００２７】
図６〜図８に示すように、カム部材３には、シャーシ２の保持部材４にネジ止めされていない側の部分（矢印Ｙ１方向側の短辺側の部分）を上下方向（Ｚ方向）に移動させるためのカム溝３１が設けられている。また、カム部材３のシャーシ２とは反対側（矢印Ｙ１方向側）には、ディスクトレイ１（図１参照）の移動とカム部材３の移動とを連動させるためのボス３２と、保持部材４に取り付けられた駆動機構１０の歯車１０ａ（図２〜図４参照）に噛合するラック３３とが一体的に設けられている。なお、図８では、説明の便宜上、ボス３２およびラック３３を含むカム部材３のシャーシ２とは反対側の部分の図示を省略している。
【００２８】
図６および図８に示すように、カム溝３１は、カム部材３の移動方向（Ｘ方向）に沿って延びる２つの第１溝部３１ａと、２つの第１溝部３１ａの内側の端部からカム部材３の移動方向とシャーシ２の移動方向（Ｚ方向）とを合成した方向に傾斜して延びる第２溝部３１ｂとを含む。なお、図８に示すように、第２溝部３１ｂの溝幅（第２溝部３１ｂの延びる方向と直交する方向の幅）Ｗ２は、第１溝部３１ａの溝幅（第１溝部３１ａの延びる方向と直交する方向の幅）Ｗ１よりも大きい。
【００２９】
ここで、第１溝部３１ａの溝幅Ｗ１は、平板状の突出部２１の厚みｔよりも大きく設定されている。また、第２溝部３１ｂの溝幅Ｗ２は、平板状の突出部２１がＸ方向およびＹ方向に対して平行に配置された状態で第２溝部３１ｂに沿って移動する際に、突出部２１の矢印Ｘ２方向側でかつ矢印Ｚ２方向側の角部が第２溝部３１ｂの矢印Ｚ２方向側の内周面に当接するとともに、突出部２１の矢印Ｘ１方向側でかつ矢印Ｚ１方向側の角部が第２溝部３１ｂの矢印Ｚ１方向側の内周面に当接しないような大きさに設定されている。なお、第２溝部３１ｂは、ディスクトレイ１側の部分３１ｃ（矢印Ｚ１方向側（上側）の部分）の傾斜角度θ１が、ディスクトレイ１とは反対側の部分３１ｄ（矢印Ｚ２方向側（下側）の部分）の傾斜角度よりも小さくなるように、傾斜角度が途中で変化するように構成されている。
【００３０】
図８に示すように、シャーシ２がディスクトレイ１側（矢印Ｚ１方向側：図１参照）に最大限移動された際には、突出部２１は、２つの第１溝部３１ａのうちの上側（矢印Ｚ１方向側）の第１溝部３１ａに係合するように構成されている。このように、本実施形態では、シャーシ２がディスクトレイ１側に最大限移動された際に、突出部２１がカム溝３１（矢印Ｚ２方向側の第１溝部３１ａ）に係合することにより、シャーシ２のカム部材３側の短辺（矢印Ｙ１方向側の短辺）の中央部近傍（突出部２１が設けられた部分）がカム部材３によって支持されている。すなわち、図４に示すように、シャーシ２は、ネジ部材９を介して保持部材４に固定された２点（カム部材３とは反対側の短辺の両端部近傍）と、突出部２１を介してカム部材３に支持された１点（カム部材３側の短辺の中央部近傍）との３点で支持されている。
【００３１】
図６〜図８に示すように、カム部材３は、シャーシ２がディスクトレイ１側（矢印Ｚ１方向側：図１参照）に最大限移動された際に、シャーシ２をディスクトレイ１側とは反対側（矢印Ｚ２方向側）から受ける受け部３４を一体的に含む。図６および図７に示すように、受け部３４は、カム部材３のシャーシ２側の面（矢印Ｙ１方向側の面）の矢印Ｘ２方向側で、かつ、矢印Ｚ１方向側の角部近傍からシャーシ２側に突出するように設けられている。これにより、図７および図８に示すように、受け部３４は、シャーシ２がディスクトレイ１側に最大限移動された際（シャーシ２の突出部２１が上側（矢印Ｚ１方向側）の第１溝部３１ａに係合した際）に、シャーシ２のカム部材３側の短辺（矢印Ｙ１方向側の短辺）の矢印Ｘ２方向側の端部に対応する位置に配置されている。なお、受け部３４とシャーシ２とは、シャーシ２がディスクトレイ１側に最大限移動された際に所定の隙間Ｓを隔てて対向するように配置されている。また、図８に示すように、受け部３４とシャーシ２との間の隙間Ｓの間隔ｄは、シャーシ２の厚みｔよりも小さい。
【００３２】
本実施形態では、上記のように、カム溝３１に嵌まり込むようにシャーシ２からカム部材３側に突出する板金製の突出部２１を板金製のシャーシ２に一体的に設けることによって、カム溝３１に嵌まり込む突出部２１をシャーシ２とは別個の部材に設けて、その部材をシャーシ２に複数のネジによりネジ止めして固定する場合と異なり、シャーシ２を移動させる機構の部品点数および組立工数を削減することができる。
【００３３】
また、本実施形態では、上記のように、シャーシ２がディスクトレイ１側（矢印Ｚ１方向側）に最大限移動された際に、突出部２１がカム溝３１に係合することにより、シャーシ２がカム部材３によって支持されるようにディスク装置１００を構成する。これにより、シャーシ２の突出部２１が設けられた部分をカム部材３によって安定して支持することができる。
【００３４】
また、本実施形態では、上記のように、シャーシ２がディスクトレイ１側（矢印Ｚ１方向側）に最大限移動された際にシャーシ２をディスクトレイ１側とは反対側（矢印Ｚ２方向側）から受ける受け部３４をカム部材３に一体的に設ける。これにより、ディスク装置１００が落下してシャーシ２ががたついた場合でも、受け部３４によってシャーシ２が受けられるので、落下の衝撃によりシャーシ２が破損するのを抑制することができる。
【００３５】
また、本実施形態では、上記のように、受け部３４とシャーシ２とを、シャーシ２がディスクトレイ１側（矢印Ｚ１方向側）に最大限移動された際に所定の隙間Ｓ（間隔ｄ：図８参照）を隔てて対向するように配置する。これにより、シャーシ２のディスクトレイ１側への通常の移動動作時には、受け部３４とシャーシ２とが互いに接触しないので、シャーシ２の通常の移動動作に起因する破損を抑制することができる。
【００３６】
また、本実施形態では、上記のように、シャーシ２を、矩形状の外周部の１つの辺（矢印Ｙ２方向側の短辺）の両端部近傍において保持部材４にネジ止めし、突出部２１を、シャーシ２の上記１つの辺と対向する辺（矢印Ｙ１方向側の短辺）の中央部近傍に配置する。これにより、矩形状の外周部を有するシャーシ２が、１つの辺の両端部近傍の２点と、その１つの辺に対向する辺の中央部近傍の１点との３点で支持されるので、シャーシ２を安定して支持することができる。
【００３７】
また、本実施形態では、上記のように、突出部２１を、板金製のシャーシ２のカム部材３側の端部近傍の部分の一部をカム部材３側（矢印Ｙ１方向側）に切り起こすことにより平板状に形成する。これにより、板金の切り起こし加工によって、容易に、板金製のシャーシ２に板金製の突出部２１を一体的に設けることができる。また、突出部２１を平板状に形成することによって、突出部２１を円柱形状に形成する場合と異なり、突出部２１をカム溝３１に係合させてシャーシ２を支持する場合に、カム溝３１によるシャーシ２の支持面積を大きくすることができるので、より安定してシャーシ２を支持することができる。
【００３８】
また、本実施形態では、上記のように、カム溝３１を、カム部材３の移動方向（Ｘ方向）に沿って延びる第１溝部３１ａと、第１溝部３１ａの端部からシャーシ２の移動方向（Ｚ方向）とカム部材３の移動方向とを合成した方向に傾斜して延びる第２溝部３１ｂとを含むように構成し、第２溝部３１ｂの溝幅Ｗ２（図８参照）を、第１溝部３１ａの溝幅Ｗ１（図８参照）よりも大きくなるように形成する。これにより、第２溝部３１ｂの溝幅Ｗ２が第１溝部３１ａの溝幅Ｗ１よりも大きいので、平板状の突出部２１が第１溝部３１ａと第２溝部３１ｂとの間を移動する際に傾斜してシャーシ２ががたつくのを抑制することができる。
【００３９】
また、本実施形態では、上記のように、第２溝部３１ｂを、ディスクトレイ１側の部分３１ｃ（矢印Ｚ１方向側の部分）の傾斜角度θ１（図８参照）がディスクトレイ１とは反対側の部分３１ｄ（矢印Ｚ２方向側の部分）の傾斜角度θ２（図８参照）よりも小さくなるように、傾斜角度が途中で変化するように構成する。これにより、第２溝部３１ｂのディスクトレイ１側の部分３１ｃの傾斜角度θ１がディスクトレイ１とは反対側の部分３１ｄの傾斜角度θ２よりも小さいので、突出部２１が第２溝部３１ｂに沿ってディスクトレイ１とは反対側からディスクトレイ１側に急激に移動するのを抑制することができる。これにより、突出部２１が第２溝部３１ｂのディスクトレイ１とは反対側の内周面に衝突して破損するのを抑制することができるとともに、衝突音が発生するのを抑制することができる。
【００４０】
また、本実施形態では、上記のように、カム部材３を樹脂製とする。これにより、金属製のカム部材３を用いる場合と異なり、カム部材３とシャーシ２とが互いに接触して破損するのを抑制することができる。
【００４１】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４２】
たとえば、上記実施形態では、シャーシに突出部を１つだけ設ける例を示したが、本発明はこれに限らない。本発明では、シャーシに突出部を２つ以上設けてもよい。なお、この場合、突出部の個数に対応する個数のカム溝をカム部材に設ける必要がある。
【００４３】
また、上記実施形態では、シャーシを切り起こすことにより突出部をシャーシに一体的に形成する例を示したが、本発明はこれに限らない。本発明では、シャーシに突出部を溶接することにより突出部をシャーシに一体的に形成してもよい。
【００４４】
また、上記実施形態では、突出部を平板状に形成する例を示したが、本発明はこれに限らない。本発明では、突出部を円筒状に形成してもよい。
【００４５】
また、上記実施形態では、シャーシがディスクトレイ側に最大限移動された際に受け部とシャーシとが接触しないように構成する例を示したが、本発明はこれに限らない。本発明では、シャーシがディスクトレイ側に最大限移動された際に受け部とシャーシとが接触するように構成してもよい。
【００４６】
また、上記実施形態では、受け部をカム部材に一体的に設ける例を示したが、本発明はこれに限らない。本発明では、受け部をカム部材とは別個に設けてもよい。
【００４７】
また、上記実施形態では、第２溝部の溝幅を第１溝部の溝幅よりも大きくする例を示したが、本発明はこれに限らない。本発明では、第２溝部の溝幅と第１溝部の溝幅とを等しくしてもよい。なお、この場合、第２溝部の溝幅は、平板状の突出部が上下に移動する際に傾斜してシャーシのがたつきが発生しないような大きさに設定されるのが好ましい。
【００４８】
また、上記実施形態では、第２溝部を、ディスクトレイ側（上側）の部分の傾斜角度がディスクトレイとは反対側（下側）の傾斜角度よりも小さくなるように形成する例を示したが、本発明はこれに限らない。本発明では、第２溝部を、ディスクトレイ側の部分の傾斜角度とディスクトレイとは反対側の傾斜角度とが互いに等しくなるように形成してもよい。
【００４９】
また、上記実施形態では、樹脂製のカム部材を用いる例を示したが、本発明では、金属製のカム部材を用いてもよい。
【符号の説明】
【００５０】
１  ディスクトレイ
２  シャーシ
３  カム部材
４  保持部材
５  ターンテーブル
２１  突出部
３１  カム溝
３１ａ  第１溝部
３１ｂ  第２溝部
３４  受け部
１００  ディスク装置
【図１】
2014146398.tif 000003
【図２】
2014146398.tif 000004
【図３】
2014146398.tif 000005
【図４】
2014146398.tif 000006
【図５】
2014146398.tif 000007
【図６】
2014146398.tif 000008
【図７】
2014146398.tif 000009
【図８】
2014146398.tif 000010